(57)【要約】  サブフレーム期間の順序の設定を簡便化する。  表示素子アレイ部は、１画面の表示期間であるフレーム期間毎に表示データに応じて階調表示が行われる複数の表示素子が配置される。表示制御部は、フレーム期間を複数のサブフレーム期間に分割するとともに複数の表示素子を複数のグループに分割して複数のグループ毎に複数のサブフレーム期間毎の表示の制御を行う。表示データ供給部は、サブフレーム期間毎の表示データをグループ毎に所定の遅延時間ずらして表示素子アレイ部に対して供給するとともに分割されたグループ数と所定の遅延時間とに応じたサブフレーム期間の順序に基づいてサブフレーム期間毎の表示データを供給する。
2018078977.tif 000002
【特許請求の範囲】
【請求項１】
１画面の表示期間であるフレーム期間毎に表示データに応じて階調表示が行われる複数の表示素子が配置される表示素子アレイ部と、
前記フレーム期間を複数のサブフレーム期間に分割するとともに前記複数の表示素子を複数のグループに分割して前記複数のグループ毎に前記複数のサブフレーム期間毎の表示の制御を行う表示制御部と、
前記サブフレーム期間毎の前記表示データを前記グループ毎に所定の遅延時間ずらして前記表示素子アレイ部に対して供給するとともに前記分割されたグループ数と前記所定の遅延時間とに応じた前記サブフレーム期間の順序に基づいて前記サブフレーム期間毎の前記表示データを供給する表示データ供給部と
を具備する表示装置。
【請求項２】
前記表示データ供給部は、隣接する複数の前記サブフレーム期間において前記隣接する複数のサブフレーム期間のうちの最初の１つを除く前記サブフレーム期間数と前記グループ数と前記遅延時間数との積より前記隣接する複数のサブフレーム期間の合計が前記遅延時間以上長くなる前記サブフレーム期間の順序に基づいて前記表示データを供給する請求項１記載の表示装置。
【請求項３】
前記表示データ供給部は、隣接する２つの前記サブフレーム期間の合計が以下の条件式（ａ）を満たし、隣接する３つの前記サブフレーム期間の合計が以下の条件式（ｂ）を満たす前記サブフレーム期間の順序に基づいて前記表示データを供給する請求項２記載の表示装置。
条件式（ａ）：Ｔ×（Ｇ＋１）≦ＳＦ
条件式（ｂ）：Ｔ×（２×Ｇ＋１）≦ＳＦ
但し、
ＳＦ：隣接するサブフレーム期間の合計、
Ｔ：所定の遅延時間、
Ｇ：分割されたグループ数
である。
【請求項４】
前記表示データ供給部は、前記サブフレーム期間のうち最も期間が短いサブフレーム期間と略同じ期間を前記所定の遅延時間として前記表示データを供給する請求項１記載の表示装置。
【請求項５】
前記表示制御部は、前記所定の遅延時間ずらして前記グループ毎の表示の制御を行う請求項１記載の表示装置。
【請求項６】
前記表示制御部は、前記供給された表示データを前記複数の表示素子の前記表示に反映させる更新信号を出力することにより前記表示の制御を行う請求項１記載の表示装置。
【請求項７】
前記表示制御部は、前記複数のサブフレーム期間のうちの少なくとも１つを複数の新たなサブフレーム期間にさらに分割するとともに前記複数の新たなサブフレーム期間を前記フレーム期間に分散させて前記表示の制御を行い、
前記表示データ供給部は、前記複数の新たなサブフレーム期間毎の前記表示データをさらに供給する
請求項１記載の表示装置。
【発明の詳細な説明】
【技術分野】
【０００１】
本技術は、表示装置に関する。詳しくは、階調表示を行う表示装置に関する。
【背景技術】
【０００２】
従来、表示および非表示の何れかの状態となる表示素子を使用した表示装置、例えば、可動式の微小鏡面を有する表示素子が行列形状に配置されたＤＭＤ（Digital Micromirror Device）による表示装置が使用されている。このような表示装置においては、パルス幅変調（ＰＷＭ：Pules Width Modulation）により、階調表示を行うことができる。例えば、１画面の表示期間であるフレーム期間をそれぞれ期間が異なる複数のサブフレーム期間に分割し、このサブフレーム期間毎に表示および非表示の制御を行うことによりＰＷＭを行う表示装置が使用されている。ここで、サブフレーム期間の表示および非表示の制御は、表示する画像の濃淡に応じてサブフレーム期間毎に生成された表示データにより行われる。【０００３】
この表示データは、それぞれのサブフレーム期間の開始前に、表示装置の各表示素子に転送される。このため、１フレーム期間において、サブフレーム期間数に応じた回数の表示データの転送を行う必要が生じる。高い解像度を有し、フレームレートが高い表示装置においては、表示データを転送する際の信号線の帯域が不足するという問題がある。そこで、表示装置を複数の領域に分割し、それぞれの領域においてサブフレーム期間の表示順序を変更して表示データを転送することにより、表示データの転送を分散させて行う表示装置が使用されている。例えば、表示装置の行毎にサブフレーム期間の表示順序を変更して表示データの転送を行う表示装置が提案されている（例えば、特許文献１参照。）。
【先行技術文献】
【特許文献】
【０００４】
【特許文献１】特表２０００−５１０２５２号公報
【発明の概要】
【発明が解決しようとする課題】
【０００５】
上述の従来技術では、予めサブフレーム期間の表示順序を行毎に設定して表示データの転送を行う。このサブフレーム期間の表示順序は各行における表示データの転送が重複しない順序にサブフレーム期間を並び替えて設定する必要があり、順序の設定が複雑になるという問題がある。【０００６】
本技術はこのような状況に鑑みて生み出されたものであり、サブフレーム期間の順序の設定を簡便化し、表示データの転送を容易にすることを目的とする。
【課題を解決するための手段】
【０００７】
本技術は、上述の問題点を解消するためになされたものであり、その第１の側面は、１画面の表示期間であるフレーム期間毎に表示データに応じて階調表示が行われる複数の表示素子が配置される表示素子アレイ部と、上記フレーム期間を複数のサブフレーム期間に分割するとともに上記複数の表示素子を複数のグループに分割して上記複数のグループ毎に上記複数のサブフレーム期間毎の表示の制御を行う表示制御部と、上記サブフレーム期間毎の上記表示データを上記グループ毎に所定の遅延時間ずらして上記表示素子アレイ部に対して供給するとともに上記分割されたグループ数と上記所定の遅延時間とに応じた上記サブフレーム期間の順序に基づいて上記サブフレーム期間毎の上記表示データを供給する表示データ供給部とを具備する表示装置である。これにより、表示データが提供されるサブフレーム期間の順序は、グループ数と所定の遅延時間とに応じて決定されるという作用をもたらす。【０００８】
また、この第１の側面において、上記表示データ供給部は、隣接する複数の上記サブフレーム期間において上記隣接する複数のサブフレーム期間のうちの最初の１つを除く上記サブフレーム期間数と上記グループ数と上記遅延時間数との積より上記隣接する複数のサブフレーム期間の合計が上記遅延時間以上長くなる上記サブフレーム期間の順序に基づいて上記表示データを供給してもよい。これにより、隣接する複数のサブフレーム期間のうちの最初の１つを除くサブフレーム期間数とグループ数と遅延時間との積より隣接する複数のサブフレーム期間の合計が遅延時間以上長くなるという作用をもたらす。【０００９】
また、この第１の側面において、上記表示データ供給部は、隣接する２つの上記サブフレーム期間の合計が以下の条件式（ａ）を満たし、隣接する３つの上記サブフレーム期間の合計が以下の条件式（ｂ）を満たす上記サブフレーム期間の順序に基づいて上記表示データを供給してもよい。
条件式（ａ）：Ｔ×（Ｇ＋１）≦ＳＦ
条件式（ｂ）：Ｔ×（２×Ｇ＋１）≦ＳＦ
但し、
ＳＦ：隣接するサブフレーム期間の合計、
Ｔ：所定の遅延時間、
Ｇ：分割されたグループ数
である。これにより、隣接する２つおよび３つのサブフレーム期間において最初の１つを除くサブフレーム期間数とグループ数と遅延時間との積より隣接する複数のサブフレーム期間の合計が遅延時間以上長くなるという作用をもたらす。【００１０】
また、この第１の側面において、上記表示データ供給部は、上記サブフレーム期間のうち最も期間が短いサブフレーム期間と略同じ期間を上記所定の遅延時間として上記表示データを供給してもよい。これにより、最も期間が短いサブフレーム期間と所定の遅延時間とが略等しくなるという作用をもたらす。【００１１】
また、この第１の側面において、上記表示制御部は、上記所定の遅延時間ずらして上記グループ毎の表示の制御を行ってもよい。これにより、グループ毎の表示データの供給および表示の制御が所定の遅延時間ずらして行われるという作用をもたらす。【００１２】
また、この第１の側面において、上記表示制御部は、上記供給された表示データを上記複数の表示素子の上記表示に反映させる更新信号を出力することにより上記表示の制御を行ってもよい。これにより、更新信号を出力することにより表示の制御が行われるという作用をもたらす。【００１３】
また、この第１の側面において、上記表示制御部は、上記複数のサブフレーム期間のうちの少なくとも１つを複数の新たなサブフレーム期間にさらに分割するとともに上記複数の新たなサブフレーム期間を上記フレーム期間に分散させて上記表示の制御を行い、上記表示データ供給部は、上記複数の新たなサブフレーム期間毎の上記表示データをさらに供給してもよい。これにより、分割されたサブフレーム期間がフレーム期間に分散されて配置されるという作用をもたらす。
【発明の効果】
【００１４】
本技術によれば、サブフレーム期間の順序の設定を簡便化し、表示データの転送を容易にするという優れた効果を奏し得る。なお、ここに記載された効果は必ずしも限定されるものではなく、本開示中に記載されたいずれかの効果であってもよい。
【図面の簡単な説明】
【００１５】
【図１】本技術の実施の形態における表示装置１０の構成例を示す図である。
【図２】本技術の実施の形態における表示素子３１０の構成例を示す図である。
【図３】本技術の実施の形態における表示素子３１０の階調表示の一例を示す図である。
【図４】本技術の実施の形態における表示素子アレイ部３００の構成例を示す図である。
【図５】本技術の実施の形態における制御部１００の構成例を示す図である。
【図６】本技術の実施の形態における表示制御部２００の構成例を示す図である。
【図７】本技術の実施の形態におけるデコード部２５０の構成例を示す図である。
【図８】本技術の第１の実施の形態におけるサブフレーム期間の順序の一例を示す図である。
【図９】本技術の第１の実施の形態における表示制御の一例を示す図である。
【図１０】本技術の第１の実施の形態における表示データの転送の一例を示す図である。
【図１１】本技術の第１の実施の形態における表示データの転送の他の例を示す図である。
【図１２】本技術の実施の形態における更新を指示する信号の生成の一例を示す図である。
【図１３】本技術の実施の形態におけるサブフレーム期間の順序の設定処理の処理手順の一例を示す図である。
【図１４】本技術の第２の実施の形態におけるサブフレーム期間の順序の一例を示す図である。
【発明を実施するための形態】
【００１６】
以下、本技術を実施するための形態（以下、実施の形態と称する）について説明する。説明は以下の順序により行う。
１．第１の実施の形態（フレーム期間をサブフレーム期間に分割する場合の例）
２．第２の実施の形態（サブフレーム期間をさらに分割する場合の例）
【００１７】
＜１．第１の実施の形態＞
［表示装置の構成］
図１は、本技術の実施の形態における表示装置１０の構成例を示す図である。この表示装置１０は、表示素子アレイ部３００と、表示制御部２００と、制御部１００と、光源５００とを備える。
【００１８】
表示素子アレイ部３００は、表示素子３１０が行列形状に配置されて構成されたものである。ここで、表示素子３１０は、画面における１つの画素に対応し、表示データに応じて表示を行うものである。また、表示素子３１０は、１画面の表示期間であるフレーム期間毎に表示データに応じた表示を行う。表示素子アレイ部３００は、１行分の表示データを保持する表示データ保持部（不図示）を備え、後述する表示制御部２００を経由して出力された表示データを表示データ保持部に保持する。この保持された表示データは、表示素子３１０に対して行毎に転送される。表示データ保持部にはシフトレジスタを使用することができる。また、表示素子アレイ部３００に配置された表示素子３１０は、複数のグループに分割され、グループ毎に表示の制御が行われる。また、後述するように、フレーム期間は、複数のサブフレーム期間に分割される。表示素子３１０は、このサブフレーム期間毎に表示の制御が行われる。同図においては、ＤＭＤによる表示素子アレイ部３００を想定する。なお、表示素子アレイ部３００としてＰＤＰ（Plasma Display Panel）やＦＬＣ（Ferroelectric Liquid Cristal）を使用することも可能である。表示素子３１０の構成の詳細については後述する。
【００１９】
表示制御部２００は、表示素子アレイ部３００に配置された表示素子３１０の表示を制御するものである。この表示制御部２００は、グループおよびサブフレーム期間毎に表示素子３１０の制御を行う。また、表示制御部２００は、後述する制御部１００からグループ毎に出力された表示データの転送を行う。なお、表示制御部２００は、表示素子アレイ部３００と同一のチップに形成することができる。表示制御部２００の構成の詳細については後述する。
【００２０】
制御部１００は、表示装置１０の全体を制御するものである。この制御部１００は、入力された画像データを表示素子３１０の表示データに変換し、グループおよびサブフレーム期間毎に表示データを表示素子３１０に対して供給する。この表示データの供給は、同図の表示データ供給部１２０が行う。また、制御部１００は、光源５００の制御をさらに行う。制御部１００の構成の詳細については後述する。
【００２１】
光源５００は、表示素子アレイ部３００に照射する光を供給するものである。この光源５００には、例えばキセノンランプ、ＬＥＤ（Light Emitting Diode）またはＬＤ（Laser Diode）を使用することができる。なお、光源５００にキセノンランプを使用する際には、カラーホイール等の色分離光学系を併用することにより、カラー表示を行うことができる。
【００２２】
［表示素子の構成］
図２は、本技術の実施の形態における表示素子３１０の構成例を示す図である。この表示素子３１０は、ミラー３１１と、電極３１３および３１４と、支持部３１５と、メモリ３１９とを備える。
【００２３】
ミラー３１１は、光源５００からの光を反射するものである。このミラー３１１は、支柱を介して支持部３１５と結合している。このミラー３１１の傾きを変えることにより、光の反射方向を変更することができる。
【００２４】
支持部３１５は、ミラー３１１等を支えるものである。また、支持部３１５には、ミラー３１１を傾いた状態に保持するためのバイアス電圧とミラー３１１の傾きを反転させるための更新電圧とが印加される。このバイアス電圧および更新電圧は、ミラー３１１に伝達される。このバイアス電圧および更新電圧は、更新信号として支持部３１５に入力される。
【００２５】
電極３１３および３１４は、ミラー３１１の傾きの方向を制御する電極である。この電極３１３および３１４に印加された電圧によりミラー３１１との間に電場が形成される。この電場に応じてミラー３１１を電極３１３または３１４の何れかに引き寄せることにより、ミラー３１１を傾けさせることができる。
【００２６】
メモリ３１９は、表示素子３１０に入力された表示データを保持するメモリである。このメモリ３１９は、保持した表示データに応じたオン信号を電極３１３または３１４の何れかに印加する。オン信号が電極３１３に印加され、支持部３１５に更新電圧が印加されると、ミラー３１１は、同図の左側に傾いた状態になる。その後、支持部３１５にバイアス電圧が印加されると、ミラー３１１が左側に傾いた状態に保持される。このバイアス電圧が印加された状態においては、電極３１４にオン信号が印加された場合であっても、ミラー３１１の傾き状態は変化しない。しかし、更新電圧が支持部３１５に印加されると、ミラー３１１は、同図の右側に傾いた状態に変化する。このように、支持部３１５に更新電圧が印加された際の電極３１３および３１４におけるオン信号の状態に応じてミラー３１１の傾き方向を設定することができる。その後、更新電圧の代わりにバイアス電圧を支持部３１５に印加することにより、ミラー３１１の傾き方向を保持させることができる。このように更新電圧を印加することにより、メモリ３１９に保持された表示データを表示素子３１０における表示に反映することができる。なお、更新電圧は、特許請求の範囲に記載の更新信号の一例である。
【００２７】
この表示素子３１０に光源５００からの光を照射することにより、ミラー３１１の傾きに応じた反射光を得ることができる。例えば、ミラー３１１が同図の左側に傾いた場合に反射光がプロジェクションレンズ（図１において不図示）に導かれ、スクリーン等に結像される構成にすることができる。この場合においては、ミラー３１１が同図の左側に傾いた状態が表示状態となり、ミラー３１１が右側に傾いた状態が非表示の状態になる。
【００２８】
［表示素子の階調表示］
図３は、本技術の実施の形態における表示素子３１０の階調表示の一例を示す図である。図２において説明したように、表示素子３１０は、表示または非表示の２つの状態を持つ素子である。このような表示素子３１０において階調表示を行うため、ＰＷＭが行われる。同図は、このＰＷＭによる階調表示の様子を表したものである。また、同図は、１６階調を行う場合を想定したものである。同図に表したように、フレーム期間をサブフレーム期間４９１乃至４９４に分割し、これらのサブフレーム期間毎に表示素子３１０の表示および非表示を切替える。これにより、１フレームにおける表示が行われる期間の長さを変更し、階調表示を行うことができる。同図においてハッチングされた領域４８１が表示期間を表している。また、サブフレーム期間４９１乃至４９４の長さは重み付けがされている。すなわち、サブフレーム期間４９２、４９３および４９４の長さは、サブフレーム期間４９１のそれぞれ２、４および８倍の長さに重み付けされている。このように重み付けすることにより、輝度レベルの多段階の変更が可能となる。なお、フレーム期間の分割は、同図の例に限定されず、所望の階調表示を行うための分割数にすることができる。
【００２９】
［表示素子アレイ部の構成］
図４は、本技術の実施の形態における表示素子アレイ部３００の構成例を示す図である。同図は、表示素子アレイ部３００におけるグループの配置を表したものである。同図は、表示素子アレイ部３００に配置された表示素子３１０を５つのグループ（グループ＃１（３０１）乃至＃５（３０５））に分割する場合を想定したものである。グループ＃１（３０１）乃至＃５（３０５）には、例えば、複数の行に配置された表示素子３１０が含まれる。表示データおよび更新信号は、グループ毎に入力される。同図においては、表示データおよび更新信号に付された数字により入力先のグループを識別する。具体的には、表示データ＃１および更新信号＃１は、グループ＃１（３０１）に入力される表示データおよび更新信号を表す。この更新信号＃１は、グループ＃１（３０１）に配置された表示素子３１０の支持部３１５に共通に入力される。一方、表示データ＃１は、表示素子アレイ部３００の表示データ保持部に保持された後、グループ＃１（３０１）に含まれる行毎に表示素子３１０のメモリ３１９に入力される。
【００３０】
［制御部の構成］
図５は、本技術の実施の形態における制御部１００の構成例を示す図である。この制御部１００は、画像データ変換部１１０と、表示データ供給部１２０と、階調制御部１３０と、光源制御部１４０とを備える。
【００３１】
画像データ変換部１１０は、表示装置１０に入力された画像データを表示データに変換するものである。この画像データ変換部１１０は、画像データに対してＰＷＭを行い、サブフレーム期間毎の表示データを生成して表示データ供給部１２０に対して出力する。
【００３２】
表示データ供給部１２０は、表示データをサブフレーム期間およびグループ毎に表示素子アレイ部３００に対して供給するものである。この表示データ供給部１２０は、画像データ変換部１１０から出力された表示データをサブフレーム期間毎に画像メモリに保持する。その後、保持したサブフレーム期間毎の表示データをグループ毎に所定の遅延時間ずらして供給する。この所定の遅延時間には、１つのグループにおける１つのサブフレーム期間の表示データを表示素子アレイ部３００に転送する際に要する時間を採用することができる。これにより、表示データの転送を複数のグループに分散して行うことができる。また、この所定の遅延時間は、重み付けされた複数のサブフレーム期間のうち最も期間が短いサブフレーム期間と同じ長さにすることができる。これにより、サブフレーム期間毎の表示と表示データの転送とを同期させることができ、サブフレーム期間の表示の制御および表示データの転送の制御を容易に行うことができる。なお、表示データは、表示制御部２００を介して表示素子アレイ部３００に対して供給される。
【００３３】
また、サブフレーム期間毎の表示データの供給は、グループ数と上述の所定の遅延時間とに応じて決定されたサブフレーム期間の順序に基づいて行われる。表示データ供給部１２０における表示データの供給の詳細については後述する。
【００３４】
階調制御部１３０は、表示素子アレイ部３００における階調表示の制御を行うものである。この階調制御部１３０は、上述のサブフレーム期間の順序を設定する。上述の表示データ供給部１２０は、階調制御部１３０により設定されたサブフレーム期間の順序に基づいて表示データの供給を行う。また、階調制御部１３０は、各サブフレーム期間の開始を指示する信号であるサブフレーム開始信号を生成し、表示制御部２００に対して出力する。
【００３５】
光源制御部１４０は、光源５００を制御するものである。この光源制御部１４０は、光源５００の、例えばＲＧＢ各色の点灯および消灯の制御を行う。
【００３６】
［表示制御部の構成］
図６は、本技術の実施の形態における表示制御部２００の構成例を示す図である。この表示制御部２００は、データ分配部２１０と、選択部２２０と、アドレスカウンタ＃１（２３０）および＃２（２４０）と、デコード部２５０とを備える。
【００３７】
データ分配部２１０は、表示データ供給部１２０から供給されたグループ毎の表示データをグループ＃１（３０１）乃至＃５（３０５）に分配するものである。
【００３８】
選択部２２０は、アドレスカウンタ＃１（２３０）および＃２（２４０）を交互に選択するものである。この選択部２２０は、階調制御部１３０から出力されたサブフレーム開始信号を選択したアドレスカウンタ＃１（２３０）または＃２（２４０）に対して出力する。選択部２２０は、例えば、フレーム期間の最初のサブフレーム期間においてアドレスカウンタ＃１（２３０）を選択し、次のサブフレーム期間においてアドレスカウンタ＃２（２４０）を選択することができる。
【００３９】
アドレスカウンタ＃１（２３０）および＃２（２４０）は、更新信号を出力するグループを識別するアドレスを生成するものである。このアドレスカウンタ＃１（２３０）および＃２（２４０）は、サブフレーム開始信号に基づいてアドレスの生成を開始する。生成されたアドレスは、デコード部２５０に対して出力される。このアドレスカウンタ＃１（２３０）および＃２（２４０）としてグループ数に等しいビット数のシフトレジスタを使用することができる。本技術の実施の形態においては、５ビットのシフトレジスタを使用することができる。
【００４０】
デコード部２５０は、アドレスカウンタ＃１（２３０）および＃２（２４０）から出力されたアドレスからグループ毎の更新信号＃１乃至＃５を生成するものである。生成された更新信号＃１乃至＃５は、グループ＃１（３０１）乃至＃５（３０５）に対してそれぞれ出力される。この更新信号＃１乃至＃５の出力により、表示制御部２００における表示素子３１０の制御が行われる。デコード部２５０の構成の詳細については後述する。
【００４１】
［デコード部の構成］
図７は、本技術の実施の形態におけるデコード部２５０の構成例を示す図である。このデコード部２５０は、ＯＲゲート２５１乃至２５５と、更新信号生成部２５６とを備える。
【００４２】
ＯＲゲート２５１乃至２５５は、アドレスカウンタ＃１（２３０）および＃２（２４０）から出力されたアドレスの論理和演算を行うものである。このＯＲゲート２５１乃至２５５は、アドレスカウンタ＃１（２３０）および＃２（２４０）のビット数と同数が配置される。そして、ＯＲゲート２５１乃至２５５は、アドレスカウンタ＃１（２３０）および＃２（２４０）から出力されたアドレスをビット毎に論理和演算して更新を指示する信号を生成し、更新信号生成部２５６に対して出力する。
【００４３】
更新信号生成部２５６は、ＯＲゲート２５１乃至２５５から出力されたそれぞれの更新を指示する信号に基づいて更新信号＃１乃至＃５を生成し、グループ＃１（３０１）乃至＃５（３０５）に対して出力するものである。この更新信号生成部２５６は、定常時には図２において説明したバイアス電圧を出力し、上述の更新を指示する信号が入力された際に更新電圧を所定の期間出力することにより更新信号を生成する。
【００４４】
［サブフレーム期間の順序］
図８は、本技術の第１の実施の形態におけるサブフレーム期間の順序の一例を示す図である。同図においては、１フレーム期間を８つのサブフレーム期間４０１乃至４０８に分割し、２５６階調の表示を行う場合を想定したものである。同図において、矩形はサブフレーム期間を表し、この矩形に付された文字は最も期間が短いサブフレーム期間４０１を基準としたサブフレーム期間の長さを表したものである。具体的には、サブフレーム期間４０７に付された「６４Ｔ」は、サブフレーム期間４０７がサブフレーム期間４０１の６４倍の長さであることを表している。同図においては、１フレーム期間において、サブフレーム期間は、４０７、４０４、４０３、４０６、４０１、４０５、４０２および４０８の順に表示の制御が行われる。このサブフレーム期間の順序の詳細については後述する。
【００４５】
［表示制御］
図９は、本技術の第１の実施の形態における表示制御の一例を示す図である。同図は、図８において説明したサブフレーム期間の順序に基づいてグループ毎に表示が行われる様子を表したものである。同図に表したように、サブフレーム期間の表示は、グループ毎に所定の遅延時間ずらして実行される。同図においては、この所定の遅延時間として１Ｔの期間を採用する。すなわち、最も短いサブフレーム期間４０１と略同じ遅延時間ずらした表示の制御が行われる。
【００４６】
［表示データの転送］
図１０は、本技術の第１の実施の形態における表示データの転送の一例を示す図である。同図は、グループ毎の表示素子３１０における表示と表示データの転送との関係を表したものである。同図においてグループ＃１乃至＃６は、それぞれのグループにおいて表示が行われるサブフレーム期間を表したものである。同図は、図８において説明したサブフレーム期間４０３、４０２および４０４がこの順に配置されて表示の制御が行われる場合を想定したものである。また、表示データは、表示データ供給部１２０から表示素子アレイ部３００に供給される表示データを表したものである。この表示データに付された文字は該当するグループの識別番号を表している。具体的には、「＃１」は、グループ＃１の表示データを表す。なお、同図におけるａは、図４において説明したように、表示素子アレイ部３００を５つのグループに分割した場合を表したものである。一方、同図におけるｂは、６つのグループに分割した場合を想定したものである。
【００４７】
表示データは、当該表示データが対応するサブフレーム期間の表示が開始される前に、表示素子３１０のメモリ３１９に転送される必要がある。例えば、同図におけるａのサブフレーム期間４０２の表示データは、各グループにおけるサブフレーム期間４０３の表示期間に転送される。同様に、サブフレーム期間４０４の表示データは、各グループにおけるサブフレーム期間４０２の表示期間に転送される。グループ毎に１Ｔの期間に相当する遅延時間だけずらした表示の制御が行われるため、表示データもこの遅延時間だけずらして転送することができる。なお、サブフレーム期間４０３のデータは、当該期間の開始前に転送されているものと想定する。
【００４８】
これらのサブフレーム期間は、隣接する２つのサブフレーム期間の合計が各グループの表示データを転送する期間の合計より遅延時間に相当する期間長くなる順序に配置される。具体的には、遅延時間を単位としてサブフレーム期間および表示データ転送期間を表した場合に、サブフレーム期間４０３および４０２の合計期間６Ｔは、各グループの表示データを転送する期間の合計５Ｔより１Ｔ長くなる。このため、後続のサブフレーム期間４０４の表示データの転送をサブフレーム期間４０２の時に行うことができる。上述の隣接するサブフレーム期間の合計と各グループの表示データ転送期間との関係を式により表すと、隣接するサブフレーム期間は、次の関係式を満たすサブフレーム期間の順に配置する必要がある。
【００４９】
Ｔ×（Ｇ＋１）≦ＳＦ    ・・・（式１）
ここで、Ｔは、遅延時間を表す。また、Ｇは、グループ数を表す。また、ＳＦは、隣接する２つのサブフレーム期間の合計を表す。
【００５０】
一方、同図におけるｂでは、グループ数が６であるため式１を満たさず、サブフレーム期間４０２のグループ＃６の表示データとサブフレーム期間４０４のグループ＃１の表示データの転送期間が重複することとなる。この場合、サブフレーム期間４０４の表示データ＃１を転送するため、サブフレーム期間４０４の開始を１Ｔだけ遅延させる必要が生じる。
【００５１】
［表示データの転送の他の例］
図１１は、本技術の第１の実施の形態における表示データの転送の他の例を示す図である。同図は、図１０におけるａにおいて、サブフレーム期間４０２および４０４の間にサブフレーム期間４２３を配置した場合の例を表したものである。このサブフレーム期間４２３は、例えば、サブフレーム期間４０８を分割して生成されたサブフレーム期間である。サブフレーム期間の分割については後述する。同図においては、隣接するサブフレーム期間４０３および４０２とサブフレーム期間４０２および４２３とはそれぞれ式１を満たしている。しかし、サブフレーム期間４２３の表示データ＃５の転送期間とサブフレーム期間４０４の表示データ＃１の転送期間とが重複することとなる。これは、グループ＃１の表示期間において、それら３つのサブフレーム期間のうち中央に配置されたサブフレーム期間４０２にサブフレーム期間４０２および４２３の表示データの転送期間が割り当てられたためである。その結果、サブフレーム期間４２３の表示データの転送の開始が遅くなり、転送期間の重複を生じたものである。すなわち、隣接する３つのサブフレーム期間において２番目のサブフレーム期間（サブフレーム期間４０２）の表示データの転送が最後のサブフレーム期間（サブフレーム期間４２３）の表示データの転送に影響を及ぼすためである。
【００５２】
そこで、隣接する３つのサブフレーム期間においては、次の関係式を満たす順にサブフレーム期間を配置することにより、表示データ転送期間の重複を防ぐことができる。
【００５３】
Ｔ×（２×Ｇ＋１）≦ＳＦ    ・・・（式２）
このように、式１および２を満たす順序にサブフレーム期間を配置することにより表示データの転送期間の重複を防ぐことができる。図８において説明したサブフレーム期間は式１および２を満たす順序に配置されたものである。
【００５４】
［表示データの転送］
図１２は、本技術の実施の形態における更新を指示する信号の生成の一例を示す図である。同図は、図７において説明した更新を指示する信号の生成の様子を表したものである。また、同図のサブフレーム期間は、図８において説明したサブフレーム期間の順に配置された場合を想定したものである。同図において、サブフレーム開始信号は、階調制御部１３０により出力されたサブフレーム開始信号を表す。また、アドレスカウンタ＃１（２３０）およびアドレスカウンタ＃２（２４０）は、それぞれアドレスカウンタ＃１（２３０）およびアドレスカウンタ＃２（２４０）の出力を表す。ＯＲゲート２５１乃至２５５は、それぞれデコード部２５０のＯＲゲート２５１乃至２５５の出力を表す。
【００５５】
まず、サブフレーム期間４０７において、サブフレーム開始信号が値「１」となる。選択部２２０は、アドレスカウンタ＃１（２３０）を選択し、サブフレーム開始信号をアドレスカウンタ＃１（２３０）に対して出力する。これにより、アドレスカウンタ＃１（２３０）の出力が値「０」から「１」に遷移する。その後、アドレスカウンタ＃１（２３０）は、前述した遅延時間（１Ｔ）に同期したクロック信号によりシフトされ、出力が順に「２」、「４」、「８」、「１６」および「０」に遷移する。アドレスカウンタ＃１（２３０）の出力のうち値「１」となるビットに接続されたＯＲゲート２５１乃至２５５の出力が１Ｔの期間値「１」となる。このＯＲゲート２５１乃至２５５の出力は、更新を指示する信号としてデコード部２５０の更新信号生成部２５６に入力される。その後、更新信号生成部２５６により更新信号が生成されて表示素子アレイ部３００に対して出力される。
【００５６】
続くサブフレーム期間４０４において、選択部２２０は、アドレスカウンタ＃２（２４０）選択し、サブフレーム開始信号をアドレスカウンタ＃２（２４０）に対して出力する。アドレスカウンタ＃２（２４０）の出力が順に「１」、「２」、「４」、「８」および「１６」に遷移する。この出力に応じてＯＲゲート２５１乃至２５５の出力が値「１」となり、更新を指示する信号が生成される。
【００５７】
なお、サブフレーム期間４０３のグループ＃５とサブフレーム期間４０６のグループ＃１とは表示開始タイミングが重複することとなる。この場合においても、２つのアドレスカウンタ＃１（２３０）および＃２（２４０）を使用してアドレスのカウントを行い、ＯＲゲート２５１等によりこれらのアドレスカウンタの出力の論理和演算を行うことにより、２つの更新を指示する信号を生成することができる。
【００５８】
［サブフレーム期間の順序の設定］
図１３は、本技術の実施の形態におけるサブフレーム期間の順序の設定処理の処理手順の一例を示す図である。同図は、図５において説明した階調制御部１３０により行われる処理である。同図において、ＳＦ０、ＳＦ１およびＳＦ２は、隣接するサブフレーム期間の長さを格納する変数である。また、順序設定の対象となるサブフレーム期間が配列等に格納されて、処理が開始される。
【００５９】
まず、階調制御部１３０は、ＳＦ０の初期値を設定する（ステップＳ９０１）。これは、例えば、図８において説明したサブフレーム期間４０１乃至４０８から任意の１つを選択し、選択したサブフレーム期間をＳＦ０に格納することにより行うことができる。次に、階調制御部１３０は、ＳＦ１を選択する（ステップＳ９０２）。この場合には、サブフレーム期間４０１乃至４０８のうちステップＳ９０１において選択したサブフレーム期間を除くサブフレーム期間を選択してＳＦ１に格納することにより行うことができる。次に、階調制御部１３０は、ＳＦ０およびＳＦ１の合計がＴ×（Ｇ＋１）以上であるか否かを判断する（ステップＳ９０３）。ＳＦ０およびＳＦ１の合計がＴ×（Ｇ＋１）未満の場合には（ステップＳ９０３：Ｎｏ）、階調制御部１３０は、再度ＳＦ１の選択を行う（ステップＳ９０２）。
【００６０】
ＳＦ０およびＳＦ１の合計がＴ×（Ｇ＋１）以上の場合には（ステップＳ９０３：Ｙｅｓ）、階調制御部１３０は、ＳＦ２の選択を行う（ステップＳ９０４）。これは、ＳＦ０およびＳＦ１として選択されたサブフレーム期間を除くサブフレーム期間を選択することにより行うことができる。次に、階調制御部１３０は、ＳＦ１およびＳＦ２の合計がＴ×（Ｇ＋１）以上であるか否かを判断する（ステップＳ９０５）。ＳＦ１およびＳＦ２の合計がＴ×（Ｇ＋１）未満の場合には（ステップＳ９０５：Ｎｏ）、階調制御部１３０は、再度ＳＦ２の選択を行う（ステップＳ９０４）。ＳＦ１およびＳＦ２の合計がＴ×（Ｇ＋１）以上の場合には（ステップＳ９０５：Ｙｅｓ）、階調制御部１３０は、ＳＦ０、ＳＦ１およびＳＦ２の合計がＴ×（２×Ｇ＋１）以上であるか否かを判断する（ステップＳ９０６）。ＳＦ０、ＳＦ１およびＳＦ２の合計がＴ×（２×Ｇ＋１）未満の場合には（ステップＳ９０６：Ｎｏ）、階調制御部１３０は、再度ＳＦ２の選択を行う（ステップＳ９０４）。
【００６１】
ＳＦ０、ＳＦ１およびＳＦ２の合計がＴ×（２×Ｇ＋１）以上の場合には（ステップＳ９０６：Ｙｅｓ）、階調制御部１３０は、ＳＦ１およびＳＦ２に格納されたサブフレーム期間をそれぞれＳＦ０およびＳＦ１に格納する（ステップＳ９０７）。その際、階調制御部１３０は、ＳＦ０、ＳＦ１およびＳＦ２に格納されていたサブフレーム期間を順序の割当てが終了したサブフレーム期間とし、前述の配列から削除する。次に、階調制御部１３０は、全てのサブフレーム期間について順序の割り当てが終了したか否かを判断する（ステップＳ９０８）。全てのサブフレーム期間について順序の割当てが終了していない場合には（ステップＳ９０８：Ｎｏ）、階調制御部１３０は、割当てが終了していないサブフレーム期間を対象にステップＳ９０４からの処理を再度実行する。一方、全てのサブフレーム期間について順序の割当てが終了した場合には（ステップＳ９０８：Ｙｅｓ）、階調制御部１３０はサブフレーム期間の順序の設定処理を終了する。
【００６２】
このように、所定の遅延時間とグループ数とに基づいてサブフレーム期間の順序を設定し、このサブフレーム期間の順序に基づいて表示データの転送をグループ毎に行うことにより、表示データの転送を容易に行うことができる。
【００６３】
このように、本技術の第１の実施の形態によれば、所定の遅延時間とグループ数とに基づいてサブフレーム期間の順序を決定することができ、サブフレーム期間の順序の設定を簡便化することができる。
【００６４】
＜２．第２の実施の形態＞
上述の第１の実施の形態では、サブフレーム期間毎に表示の制御を行っていた。これに対し、比較的長いサブフレーム期間については、画像に擬似輪郭を生じるという問題がある。そこで、この第２の実施の形態では、サブフレーム期間をさらに分割して表示の制御を行うことを想定する。そのため、本技術の第２の実施の形態では、分割したサブフレーム期間毎の表示データの転送をさらに行う点において、第１の実施の形態とは異なる。
【００６５】
［サブフレーム期間の順序］
図１４は、本技術の第２の実施の形態におけるサブフレーム期間の順序の一例を示す図である。同図は、サブフレーム期間４０８をサブフレーム期間４２７および４２８に分割するとともにサブフレーム期間４２７をサブフレーム期間４０４および４０３の間に配置した点で、図８において説明したサブフレーム期間の順序と異なる。サブフレーム期間４２７および４２８は、何れも長さを６４Ｔにしている。このように、比較的長いサブフレーム期間を複数の短いサブフレーム期間に分割し、分割後のサブフレーム期間を分散させて配置することにより、擬似輪郭の発生を防止することができる。
【００６６】
ここで、擬似輪郭とは、中位の輝度レベルとなる画像が画面上を移動する場合に、人間の目が非表示の状態にあるサブフレーム期間の動きに追従することにより、輝度レベルが０の画素が移動しているように見える現象である。ＰＷＭによる階調表示を行う表示装置において生じる現象であり、画質の低下を招くものである。図８におけるサブフレーム期間４０８は、残り全てのサブフレーム期間の合計期間とほぼ同じ長さであるため、サブフレーム期間４０８が非表示で残り全てのサブフレーム期間の合計期間が表示の状態となる画像においては擬似輪郭を生じやすくなる。そこで、このサブフレーム期間４０８をサブフレーム期間４２７および４２８に分割し、１フレーム期間内に分散させて配置する。この際、分割したサブフレーム期間４２７および４２８を含む全てのサブフレーム期間は、前述した式（１）および（２）を満たす順序に設定される。
【００６７】
なお、サブフレーム期間の分割はこの例に限定されない。例えば、サブフレーム期間４０８を３つ以上のサブフレーム期間に分割することもできる。また、サブフレーム期間４０８のほかにサブフレーム期間４０７を分割することもできる。
【００６８】
これ以外の表示装置１０の構成は本技術の第１の実施の形態の表示装置１０と同様であるため、説明を省略する。
【００６９】
このように、本技術の第２の実施の形態によれば、サブフレーム期間を分割するとともに分散して配置することにより、擬似輪郭の発生を防止して画質を向上させることができる。
【００７０】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００７１】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【００７２】
なお、本明細書に記載された効果はあくまで例示であって、限定されるものではなく、また、他の効果があってもよい。
【００７３】
なお、本技術は以下のような構成もとることができる。
（１）１画面の表示期間であるフレーム期間毎に表示データに応じて階調表示が行われる複数の表示素子が配置される表示素子アレイ部と、
前記フレーム期間を複数のサブフレーム期間に分割するとともに前記複数の表示素子を複数のグループに分割して前記複数のグループ毎に前記複数のサブフレーム期間毎の表示の制御を行う表示制御部と、
前記サブフレーム期間毎の前記表示データを前記グループ毎に所定の遅延時間ずらして前記表示素子アレイ部に対して供給するとともに前記分割されたグループ数と前記所定の遅延時間とに応じた前記サブフレーム期間の順序に基づいて前記サブフレーム期間毎の前記表示データを供給する表示データ供給部と
を具備する表示装置。
（２）前記表示データ供給部は、隣接する複数の前記サブフレーム期間において前記隣接する複数のサブフレーム期間のうちの最初の１つを除く前記サブフレーム期間数と前記グループ数と前記遅延時間数との積より前記隣接する複数のサブフレーム期間の合計が前記遅延時間以上長くなる前記サブフレーム期間の順序に基づいて前記表示データを供給する前記（１）に記載の表示装置。
（３）前記表示データ供給部は、隣接する２つの前記サブフレーム期間の合計が以下の条件式（ａ）を満たし、隣接する３つの前記サブフレーム期間の合計が以下の条件式（ｂ）を満たす前記サブフレーム期間の順序に基づいて前記表示データを供給する前記（２）に記載の表示装置。
条件式（ａ）：Ｔ×（Ｇ＋１）≦ＳＦ
条件式（ｂ）：Ｔ×（２×Ｇ＋１）≦ＳＦ
但し、
ＳＦ：隣接するサブフレーム期間の合計、
Ｔ：所定の遅延時間、
Ｇ：分割されたグループ数
である。
（４）前記表示データ供給部は、前記サブフレーム期間のうち最も期間が短いサブフレーム期間と略同じ期間を前記所定の遅延時間として前記表示データを供給する前記（１）から（３）のいずれかに記載の表示装置。
（５）前記表示制御部は、前記所定の遅延時間ずらして前記グループ毎の表示の制御を行う前記（１）から（４）のいずれかに記載の表示装置。
（６）前記表示制御部は、前記供給された表示データを前記複数の表示素子の前記表示に反映させる更新信号を出力することにより前記表示の制御を行う前記（１）から（５）のいずれかに記載の表示装置。
（７）前記表示制御部は、前記複数のサブフレーム期間のうちの少なくとも１つを複数の新たなサブフレーム期間にさらに分割するとともに前記複数の新たなサブフレーム期間を前記フレーム期間に分散させて前記表示の制御を行い、
前記表示データ供給部は、前記複数の新たなサブフレーム期間毎の前記表示データをさらに供給する
前記（１）から（６）のいずれかに記載の表示装置。
【符号の説明】
【００７４】
１０  表示装置
１００  制御部
１１０  画像データ変換部
１２０  表示データ供給部
１３０  階調制御部
１４０  光源制御部
２００  表示制御部
２１０  データ分配部
２２０  選択部
２３０、２４０  アドレスカウンタ
２５０  デコード部
２５１〜２５５  ＯＲゲート
２５６  更新信号生成部
３００  表示素子アレイ部
３０１〜３０５  グループ
３１０  表示素子
３１１  ミラー
３１３、３１４  電極
３１５  支持部
３１９  メモリ
４０１〜４０８、４２３、４２７、４２８、４９１〜４９４  サブフレーム期間
５００  光源
【図１】
2018078977.tif 000003
【図２】
2018078977.tif 000004
【図３】
2018078977.tif 000005
【図４】
2018078977.tif 000006
【図５】
2018078977.tif 000007
【図６】
2018078977.tif 000008
【図７】
2018078977.tif 000009
【図８】
2018078977.tif 000010
【図９】
2018078977.tif 000011
【図１０】
2018078977.tif 000012
【図１１】
2018078977.tif 000013
【図１２】
2018078977.tif 000014
【図１３】
2018078977.tif 000015
【図１４】
2018078977.tif 000016
【国際調査報告】
2018078977.tif 000017
2018078977.tif 000018
2018078977.tif 000019
2018078977.tif 000020